(57)【特許請求の範囲】
【請求項１】
ボアを有する磁気共鳴イメージング用の架台と、
前記ボアに挿入可能であって、映写機により所定の映像が投影されるスクリーンと、
を具備し、
前記映写機により投影される投影映像は、前記スクリーンに投影される第１領域と、前記ボアの内壁に投影される第２領域とを有し、前記第１領域と前記第２領域とは、異なる映像内容であること、
を特徴とする磁気共鳴イメージング装置。
【請求項２】
ボアを有する磁気共鳴イメージング用の架台と、
前記ボアに挿入可能であって、映写機により所定の映像が投影されるスクリーンと、
を具備し、
前記映写機により投影される投影映像は、前記スクリーンに投影される第１領域と、前記ボアの内壁に投影される第２領域とを有し、前記第１領域における映像と前記第２領域における映像とは、色相と、明度と、模様とのうち少なくとも一つが異なること、
を特徴とする磁気共鳴イメージング装置。
【請求項３】
前記第２領域における映像は、前記内壁における周方向に沿った位置に応じて、色相と明度と模様とのうち少なくとも一つを変化させた映像であること、
を特徴とする請求項２に記載の磁気共鳴イメージング装置。
【請求項４】
ボアを有する磁気共鳴イメージング用の架台と、
前記ボアに挿入可能であって、映写機により所定の映像が投影されるスクリーンと、
を具備し、
前記映写機により投影される投影映像は、前記スクリーンに投影される第１領域と、前記ボアの内壁に投影される第２領域とを有し、前記第２領域における映像は、前記スクリーンの形状に応じて前記投影映像においてトリミングされた映像に対応すること、
を特徴とする磁気共鳴イメージング装置。
【請求項５】
前記第２領域における映像は、前記投影映像におけるトリミングの境界に対応する位置から前記第２領域の外縁に向かって、明度と色相とのうち少なくとも一方を変化させた映像であること、
を特徴とする請求項４に記載の磁気共鳴イメージング装置。
【請求項６】
前記第２領域における映像は、
前記投影映像におけるトリミングの境界に対応する位置における明度を、前記第1領域の外縁部分の明度に適合させ、
前記トリミングの境界に対応する位置から前記第２領域の外縁に向かって明度を低下させた映像であること、
を特徴とする請求項４に記載の磁気共鳴イメージング装置。
【請求項７】
ボアを有する磁気共鳴イメージング用の架台と、
前記ボアに挿入可能であって、映写機により映像が投影されるスクリーンと、
を具備し、
前記映写機により投影される投影映像は、前記スクリーンに投影される第１領域と、前記ボアの内壁に投影される第２領域とを有し、
前記架台は、
前記ボアの中心軸に沿って前記スクリーンとともに移動可能な天板の側面と前記内壁との間の空間、または前記天板に設けられたヘッドレストの上面より下方における前記内壁に、前記中心軸に沿って配列され、前記第２領域における映像に対応する色相を有する照射光を前記内壁に照射する照射器を有し、
前記内壁における前記照射光の照射範囲を、前記スクリーンの位置に応じて制御する制御回路をさらに具備する磁気共鳴イメージング装置。
【請求項８】
ボアを有する磁気共鳴イメージング用の架台と、
前記ボアに挿入可能であって、映写機により所定の映像が投影されるスクリーンと、
を具備し、
前記映写機により投影される投影映像は、前記スクリーンに投影される第１領域と、前記ボアの内壁に投影される第２領域とを有し、
前記内壁の表面は、前記内壁に投影された映像の投影効率を向上させるために、前記映写機により投影された光を拡散および反射させる拡散反射機能を有すること、
を特徴とする磁気共鳴イメージング装置。
【請求項９】
ボアを有する磁気共鳴イメージング用の架台と、
前記ボアに挿入可能であって、映写機により所定の映像が投影されるスクリーンと、
を具備し、
前記映写機により投影される投影映像は、前記スクリーンに投影される第１領域と、前記ボアの内壁に投影される第２領域とを有し、
前記第２領域に対応する映像が投影された前記内壁の位置に、前記第２領域における映像に対応する色相を有する照射光を照射する少なくとも一つの照射器と、前記ボアの中心軸に沿って前記スクリーンを移動可能に支持する移動台車とをさらに具備する磁気共鳴イメージング装置。
【請求項１０】
前記照射器は、前記スクリーンに投影された映像を反射する反射板と前記スクリーンとに前記照射光が到達不能な位置に設置されること、
を特徴とする請求項９に記載の磁気共鳴イメージング装置。
【請求項１１】
前記移動台車は、前記スクリーンに投影された映像を反射する反射板と前記スクリーンとに対する前記照射光による照射を遮蔽する遮蔽板をさらに有すること、
を特徴とする請求項９に記載の磁気共鳴イメージング装置。
【発明の詳細な説明】
【技術分野】
【０００１】
本発明の実施形態は、磁気共鳴イメージング装置に関する。
【背景技術】
【０００２】
磁気共鳴イメージング装置は、磁石等の撮像機構を装備する架台を有している。架台には略中空形状のボアが形成されている。ＭＲ（Magnetic  Resonance）撮像はボア内に患者が挿入された状態において行われる。比較的大きいボア径を有する架台が開発されているが、長時間に及ぶＭＲ撮像時間や架台駆動中の騒音、ボア内での圧迫感及び閉塞感により、ＭＲ検査にストレスを感じる患者は少なくない。
【先行技術文献】
【特許文献】
【０００３】
【特許文献１】特表２０１３−５４６０２４号公報
【発明の概要】
【発明が解決しようとする課題】
【０００４】
実施形態の目的は、架台のボア内の居住性を向上可能な磁気共鳴イメージング装置を提供することにある。
【課題を解決するための手段】
【０００５】
本実施形態に係る磁気共鳴イメージング装置は、ボアを有する磁気共鳴イメージング用の架台と、前記ボアに挿入可能であって、映写機により所定の映像が投影されるスクリーンと、を具備する。前記映写機により投影される投影映像は、前記スクリーンに投影される第１領域と、前記ボアの内壁に投影される第２領域とを有し、前記第１領域と前記第２領域とは、異なる映像内容である。
【図面の簡単な説明】
【０００６】
【図１】図１は、本実施形態に係る医用画像診断装置を含む医用画像診断システムの構成を示す図である。
【図２】図２は、本実施形態に係る磁気共鳴イメージング装置の構成を示す図である。
【図３】図３は、本実施形態に係る磁気共鳴イメージングシステムの設置環境の一例を示す図である。
【図４】図４は、本実施形態に係る架台筐体の斜視図である。
【図５】図５は、本実施形態に係る移動式スクリーン装置の斜視図である。
【図６】図６は、図５の移動式スクリーン装置の側面図である。
【図７】図７は、図５の移動式スクリーン装置の正面図である。
【図８】図８は、本実施形態に係る、連結した移動式スクリーン装置と天板１３１との斜視図である。
【図９】図９は、本実施形態に係り、ボア内に配置されたスクリーンの正面を示す図である。
【図１０】図１０は、本実施形態に係り、スライド機構が搭載された移動式スクリーン装置の側面を示す図である。
【図１１】図１１は、本実施形態に係り、スライド機構が搭載された移動式スクリーン装置の側面を示す他の図である。
【図１２】図１２は、本実施形態に係り、本磁気共鳴イメージングシステムを側面から見た断面の一例を示す側面図である。
【図１３】図１３は、本実施形態に係るボア内に配置された患者を上面から見た上面図である。
【図１４】図１４は、本実施形態に係り、患者等により視認される投影映像の一例を示す図である。
【図１５】図１５は、本実施形態の第１の変形例に係り、第１映像と第２映像とにおいて、映像内容が異なる一例を示す図である。
【図１６】図１６は、本実施形態の第１の変形例に係り、第１映像と第２映像とにおいて、映像内容が異なる一例を示す図である。
【図１７】図１７は、本実施形態の第１の変形例に係り、第２領域が３つの色相を有する場合において、架台筐体の内壁に投影された第２映像と色相との対応関係の一例を示す図である。
【図１８】図１８は、本実施形態の第１の変形例に係り、第２領域における第２映像の他の例を、第１領域における第１映像とともに示す図である。
【図１９】図１９は、本実施形態の第１の変形例に係り、第２領域の外側の領域がトリミングされた投影映像の一例を示す図である。
【図２０】図２０は、本実施形態の第２の変形例に係り、スクリーンに合わせた画像のトリミングの一例を示す図である。
【図２１】図２１は、本実施形態の第２の変形例に係り、トリミング後の第２映像に対応する投影光が架台筐体の内壁に投影される一例を示す図である。
【図２２】図２２は、本実施形態の第３の変形例に係り、天板に載置された患者により視認される映像（第１映像に対するサバンナ効果を実現する第２映像）の一例を示す図である。
【図２３】図２３は、本実施形態の第３の変形例に係り、天板に載置された患者により視認される映像（第１映像を広い空間で見ているということを患者に認識させるための第２映像）の一例を示す図である。
【図２４】図２４は、本実施形態の第４の変形例に係り、内壁に到達した投影光により、内壁下部から内壁上部にまで内壁の周方向に沿って段階的に明るくなることを遠近的に示す図である。
【図２５】図２５は、本実施形態の第４の変形例に係り、本磁気共鳴イメージングシステムを側面から見た断面において、周方向グラデーションデータにしたがって投影された投影光による明度のグラデーションの一例を示す図である。
【図２６】図２６は、本実施形態の第５の変形例に係り、レールに設けられた複数の照射器と、照射範囲との一例を示す図である。
【図２７】図２７は、本実施形態の第５の変形例に係り、架台のボアの正面図である。
【図２８】図２８は、本実施形態の第６の変形例に係り、拡散反射機能の一例を示す図である。
【発明を実施するための形態】
【０００７】
ＭＲ検査におけるストレスを軽減するための技術として、次のような技術が考えられる。例えば、１．ゴーグルタイプのヘッドマウントディスプレイ、２．検査室の天井や壁への液晶モニタの設置、３．架台後方に配置された液晶モニタの映像を見るための鏡が取付けられたヘッドコイルがある。しかしながら、１の技術の場合、ヘッドマウントディスプレイを患者に取り付けることにより患者に圧迫感及び閉塞感を与えてしまう。２の技術の場合、患者頭部が架台内に入ると液晶モニタの映像を見ることができない。３の技術の場合、ＭＲ撮像中はヘッドコイルに装着された鏡を介して映像を見ることができるのでボアによる閉塞感を軽減することができる。しかし、鏡をヘッドコイル毎に取り付けなければならない。また、頭部を覆うヘッドコイルの隙間に鏡が取り付けられているため患者は映像の広がりをあまり感じることができない。また、架台の後方に液晶モニタが設置され架台の前方を隠すものはないため、患者はＭＲ撮像前において架台外にいるときにボアを容易に視認できてしまい、その後にたとえヘッドコイルを付けて鏡を介して映像を見ていてもボア内に居る感覚を拭い去ることはできない。更に、鏡と液晶モニタとの位置関係が天板の移動と共に変わるため、天板の移動中に鏡を介して液晶モニタの映像を見ていても患者はボア内を進む感覚も残存する。
【０００８】
加えて、上記３の技術の場合、鏡の範囲のみに液晶モニタの映像が写るため、患者の視角範囲を映像で十分に満たすことはできない。また、患者の視角範囲における映像以外の領域には、ＲＦコイルおよび鏡を支える構造物などが入り込むため、検査時における患者の不安を改善し、かつ患者をリラックスさせる検査空間の提供としては、この技術は不十分である。特に、閉所恐怖症などの患者は、磁気共鳴イメージング装置における狭いボア空間の存在自体に不安を覚えることがある。
【０００９】
以下、図面を参照しながら本実施形態に係わる医用画像診断装置及び磁気共鳴イメージング装置を説明する。
【００１０】
図１は、本実施形態に係る医用画像診断装置１０を含む医用画像診断システム１の構成を示す図である。図１に示すように、医用画像診断システム１は、互いに有線又は無線で通信可能に接続された医用画像診断装置１０と映写機１００と映写機制御装置２００とを含む。医用画像診断装置１０は、架台１１、寝台１３、移動式スクリーン装置１５及び撮像制御ユニット１７を有する。例えば、架台１１、寝台１３及び移動式スクリーン装置１５は、検査室に設置され、撮像制御ユニット１７は、検査室に隣接する制御室に設置される。架台１１は、医用撮像を実現するための機構を装備する。架台１１には中空形状を有するボアが形成されている。架台１１の前方には寝台１３が設置されている。寝台１３は患者Ｐが載置される天板を移動自在に支持する。寝台１３は架台１１及びコンソール等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【００１１】
映写機制御装置２００は、映写機１００を制御するコンピュータ装置である。映写機制御装置２００は、映写対象の映像に関するデータを映写機１００に供給する。映写機１００は、映写機制御装置２００からのデータに対応する映像を移動式スクリーン装置１５のスクリーンに投影する。映写機１００としては、例えば、液晶方式やＤＬＰ（Digital Light Processing）方式、ＬＣＯＳ（Liquid Crystal On Silicon）方式、ＧＬＶ（Grating Light Valve）方式等が用いられると良い。この場合、映写機１００は、少なくとも表示機器と光源とを搭載する。表示機器は、映写機制御装置２００からのデータに対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１２】
撮像制御ユニット１７は、医用画像診断装置１０の中枢として機能する。例えば、撮像制御ユニット１７は、医用撮像を行うために架台１１を制御する。また、撮像制御ユニット１７は、医用撮像において架台１１により収集された生データに基づいて患者Ｐに関する医用画像を再構成する。なお、撮像制御ユニット１７は、映写機制御装置２００を介して映写機１００を制御可能に構成されても良い。また、撮像制御ユニット１７は、映写対象の映像に関するデータを映写機１００に供給する。この場合、映写機１００は、撮像制御ユニット１７からのデータに対応する映像を移動式スクリーン装置１５のスクリーンに投影する。
【００１３】
なお、本実施形態における医用画像診断システム１の構成は上記のみに限定されない。例えば、上記の映写機制御装置２００による映写機１００を制御する機能を撮像制御ユニット１７が有しているのであれば、映写機制御装置２００は医用画像診断システム１に設ける必要はない。
【００１４】
本実施形態に係る医用画像診断システム１は、映写機１００と移動式スクリーン装置１５とを利用して、医用画像診断装置１０による医用撮像時におけるボア内における居住性を高めることを可能にする。本実施形態に係る医用画像診断装置１０としては、ボアが形成された架台１１を用いて患者Ｐを撮像可能な如何なる装置でも良い。具体的には、本実施形態に係る医用画像診断装置１０としては、磁気共鳴イメージング（ＭＲＩ：Magnetic Resonance Imaging）装置、Ｘ線コンピュータ断層撮影（ＣＴ：Computed Tomography）装置、ＰＥＴ（Positron Emission Tomography）装置及びＳＰＥＣＴ（Single Photon Emission Computed Tomography）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。しかしながら、以下の説明を具体的に行うため、本実施形態に係る医用画像診断装置１０は、磁気共鳴イメージング装置１０であるとする。また、磁気共鳴イメージング装置１０と映写機１００と映写機制御装置２００とを含む医用画像診断システム１を磁気共鳴イメージングシステム１と呼ぶことにする。
【００１５】
図２は、本実施形態に係る磁気共鳴イメージング装置１０の構成を示す図である。図２に示すように、磁気共鳴イメージング装置１０は、撮像制御ユニット１７、架台１１、寝台１３及び移動式スクリーン装置１５を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。図２に示すように、映写機は、本磁気共鳴イメージング装置１０の構成に含まれない。
【００１６】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内に本実施形態に係る移動式スクリーン装置１５が配置される。
【００１７】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００１８】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００１９】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００２０】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。
【００２１】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２２】
受信回路２５は、励起された対象原子核から発生されるＭＲ信号をＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２３】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動する。寝台駆動装置１３５としては、例えば、サーボモータやステッピングモータ等の如何なるモータが用いられても良い。
【００２４】
撮像制御回路３１は、ハードウェア資源として、ＣＰＵ（Central Processing Unit）あるいはＭＰＵ（Micro Processing Unit）のプロセッサとＲＯＭ（Read Only Memory）やＲＡＭ（Random Access Memory）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００２５】
再構成回路３２は、ハードウェア資源として、ＣＰＵやＧＰＵ（Graphical processing unit）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。なお再構成回路３２は、再構成機能を実現する特定用途向け集積回路（Application Specific Integrated Circuit：ＡＳＩＣ）やフィールド・プログラマブル・ゲート・アレイ（Field Programmable Logic Device：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００２６】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００２７】
通信回路３４は、図示しない有線又は無線を介して映写機制御装置２００又は映写機１００との間でデータ通信を行う。また、通信回路３４は、図示しないネットワーク等を介して接続されたＰＡＣＳサーバ等の外部装置との間でデータ通信を行っても良い。また、通信回路３４は、移動式スクリーン装置１５に取り付けられた後述の機器との間でデータ通信を行っても良い。
【００２８】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される映像を表示しても良い。具体的には、表示回路３５は、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２９】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００３０】
主記憶回路３７は、種々の情報を記憶するＨＤＤ（hard disk drive）やＳＳＤ（solid state drive）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００３１】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００３２】
以下、本実施形態の磁気共鳴イメージング装置１０について詳細に説明する。
【００３３】
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。検査室３００には架台１１と寝台１３とが設置されている。架台１１の前方に寝台１３が設けられている。架台１１のボアには移動式スクリーン装置１５が設けられている。検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。制御室４００にはコンソール２７と映写機１００と映写機制御装置２００とが設置されている。映写機１００は、検査室３００と制御室４００との間の壁５００を隔てて架台１１の後方に設置される。壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００３４】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００３５】
次に、図４を参照しながら架台１１の外観について説明する。図４は、本実施形態に係る架台筐体５１の斜視図である。図４に示すように、架台筐体５１には中空形状のボア５３が形成される。架台筐体５１のボア５３の下部には、ボア５３の中心軸Ｚに平行するレール５５が形成されている。レール５５は、天板１３１と移動式スクリーン装置１５との中心軸Ｚに沿うスライドを案内する構造物である。レール５５は、ボア５３に接する架台筐体５１の内壁５７に設けられる。レール５５は、磁気共鳴撮像に利用される磁場に作用しない非磁性材料により形成される。ここで、Ｚ軸に関して寝台側から映写機側に向かう方向を＋Ｚ軸方向に規定し、映写機側から寝台側に向かう方向を−Ｚ軸方向に規定する。
【００３６】
次に図５、図６、図７及び図８を参照しながら移動式スクリーン装置１５の構造について説明する。図５は、本実施形態に係る移動式スクリーン装置１５の斜視図である。図６は、移動式スクリーン装置１５の側面図である。図７は、移動式スクリーン装置１５の正面図である。図８は、連結した移動式スクリーン装置１５と天板１３１との斜視図である。
【００３７】
図５、図６、図７及び図８に示すように、移動式スクリーン装置１５は、移動台車６１、スクリーン６３、支持アーム６５及び反射板６７を有する。移動台車６１は、架台筐体５１の内壁５７に設けられたレール５５に沿って移動する構造体である。移動台車６１の下部には、レール５５における走行性を高めるため、レール５５を転がる車輪（図示せず）が取り付けられている。なお、移動台車６１がレール５５を走行可能であれば、必ずしも車輪が設けられる必要は無く、レール５５に接触する面が低摩擦係数を有する材料により形成されれば良い。移動台車６１とレール５５とは、移動台車６１がボア５３の寝台１３側（−Ｚ側）の端部から映写機１００側（＋Ｚ側）の端部まで移動可能に形成される。移動台車６１の底面は、レール５５に嵌合可能な形状を有すると良い。移動台車６１とレール５５とが係合することにより、移動台車６１がボア５３の端部に配置された状態において外部から架台１１を見た場合、レール５５を目立たなくさせることができる。移動台車６１は、スクリーン６３と支持アーム６５とを支持する。移動台車６１は、樹脂等の磁場に作用しない非磁性材料により形成される。
【００３８】
図５に示すように、移動台車６１には天板１３１に連結するための連結部６９が形成されている。連結部６９により、図８に示すように、移動台車６１と天板１３１とが連結する。天板１３１の前方部（＋Ｚ軸方向側）には患者固定具１３７が取り付けられている。患者固定具１３７は、天板１３１に載置された患者Ｐの頭部を固定する。患者固定具１３７は、天板１３１に仰向けに載置された患者Ｐの視界を遮ることのなく後頭部を覆うことが可能なように湾曲形状を有している。すなわち、患者固定具１３７の前頭部側は開放されている。よって患者固定具１３７は、頭部全体を覆う固定部に比して、患者Ｐの閉塞感を軽減し、また、患者Ｐの視野の狭窄を軽減することができる。患者固定具１３７は、例えば、上記形状を有する金型を用いて樹脂等の非磁性材料により一体的に成型される。
【００３９】
図５、図６、図７及び図８に示すように、スクリーン６３は、移動台車６１に立設されている。スクリーン６３には図示しない映写機１００からの映像が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。上記の通り、映写機１００は、スクリーン６３を挟んで寝台１３とは反対側に配置される。ここで、スクリーン６３の映写機１００側の面を裏面、寝台１３側の面を表面と呼ぶことにする。表面に映像を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から射出された投影光はスクリーンの裏面に照射され、投影光に対応する映像が表面に映し出される。これにより患者Ｐ等は、寝台１３側から、表面に映し出された映像を見ることができる。スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された映像で満たし、映像に没入させることが可能となる。
【００４０】
図９は、ボア５３内に配置されたスクリーン６３の正面を模式的に示す図である。図９に示すように、スクリーン６３は、架台筐体５１のボア５３に接する内壁５７の径ＲＢよりも小さい外径ＲＳを有する。このように外径ＲＳを内径ＲＢよりも小さく設計することにより、移動式スクリーン装置１５をボア５３内に挿入することができる。なお、ボア５３内には架台１１に設けられた換気ファン（図示せず）から風が流れている。スクリーン６３の縁と内壁５７との間に隙間Ｇ１が設けられることにより、換気ファンから送り出される風がスクリーン６３により遮られることを防止することができる。外径ＲＳとしては、例えば、内径ＲＢよりも１０ｍｍから５０ｍｍ小さく設計されると良い。換言すれば、隙間Ｇ１は、１０ｍｍから５０ｍｍに設計されると良い。
【００４１】
図５、図６、図７及び図８に示すように、支持アーム６５は移動台車６１に取り付けられる。後述するように、支持アーム６５は、Ｚ軸方向に関してスライド可能に移動台車６１に取り付けられている。支持アーム６５は、反射板６７をスクリーン６３の表面側の空間に配置するように支持する。反射板６７は、移動台車６１と天板１３１とが連結されている状態において、天板１３１に載置された患者Ｐの頭部にぶつからない程度に、移動台車６１の表面から離間して支持アーム６５により支持される。支持アーム６５は、架台１１の外部からスクリーン６３を見た場合に当該外部観察者の視界を遮らないような形状を有している。当該外部観察者の視界を遮らないため、支持アーム６５は、図５、図６、図７及び図８に示すように、スクリーン６３の輪郭に沿った円弧部分を有する半環形状又は半鞍形状を有すると良い。この場合、支持アーム６５の両端が移動台車６１の側部に取り付けられ、支持アーム６５の円弧部分がスクリーン６３の表面側の空間に位置するように、支持アーム６５が移動台車６１に取り付けられる。なお支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００４２】
図５、図６、図７及び図８に示すように、反射板６７は、支持アーム６５の略最上部に設けられている。反射板６７は、スクリーン６３の表面に映し出された映像を反射する。反射板６７は、非磁性材料により形成され、対象を光学的に反射可能であれば如何なる素材により形成されても良い。例えば、反射板６７としては、アクリルにアルミ蒸着処理を施した鏡や誘電体膜を付着させたハーフミラー等が用いられれば良い。患者固定具１３７に頭部が配置された患者Ｐは、表面に投影された映像を、反射板６７を介して見ることができる。
【００４３】
反射板６７は、患者Ｐにより反射板６７の角度を手動で調整するために、支持アーム６５に回転可能に設けられている。具体的には、支持アーム６５に設けられた回転機構（図示せず）により回転軸ＲＲ１回りに回転可能に設けられている。回転軸ＲＲ１は、例えば、スクリーン６３の表面に対する反射板６７の向きを調節可能なようにＸ軸に平行に設けられる。より詳細には、支持アーム６５は、少なくとも、後述する第１の映写形式のための第１の角度と第２の映写形式のための第２の角度との間で切替可能に設けられると良い。第１の映写形式は、架台１１外から反射板６７を介さずにスクリーン６３の映像を見る形式である。そのため、第１の映写形式における反射板６７の第１の角度は、架台１１外にいる患者Ｐ等の視界を遮らない角度、例えば、略水平に設定されると良い。第２の映写形式はボア５３内において反射板６７を介して映像を見る形式である。そのため、第２の映写形式における反射板の第２の角度は、観察者たる患者Ｐの体格等に応じて、水平と垂直との間の任意の角度に設定されると良い。
【００４４】
反射板６７のＺ軸に関する位置を調節するため、支持アーム６５のスライド機構７１が移動台車６１に設けられると良い。図１０は、図６の支持アーム６５がＺ軸に関してスライドされた移動式スクリーン装置１５の側面を示す図である。図６と図１０とに示すように、スライド機構７１は、支持アーム６５のＺ軸に沿うスライドを案内するガイド６１１が移動台車６１に形成されている。ガイド６１１は、支持アーム６５とスクリーン６３とへの接触を回避するため、移動台車６１の両側面においてＺ軸に沿って設けられている。ガイド６１１は如何なる形態により実現されても良いが、例えば、移動台車６１の側面にＺ軸に沿って設けられた空隙により実現される。図６と図１１とに示すように、支持アーム６５の摺動性を高めるため、支持アーム６５のうちのガイド６１１に面する基部には車輪６５１が設けられると良い。スライド機構７１が設けられることにより、医師や技師、看護士等の医療従事者及び患者Ｐ等が支持アーム６５をＺ軸方向に押したり引いたりすることにより反射板６７をスクリーン６３に対して接近又は離間することができる。これにより、反射板６７のＺ軸方向に関する位置を調節することができる。
【００４５】
なお上記の説明においてスライド機構７１は、移動台車６１に設けられたガイド６１１と支持アーム６５に設けられた車輪６５１とにより実現されるものとした。しかしながら、本実施形態はこれに限定されない。本実施形態に係るスライド機構７１としては、支持アーム６５を移動台車６１に対して相対的にスライド可能であれば如何なる機構であっても良い。例えば、支持アーム６５にＺ軸に沿うガイドが設けられ、当該ガイドを走行する車輪が移動台車６１に設けられても良い。また、スライド機構７１は、ボールネジやスライドレール等により実現されても良い。
【００４６】
図１１は、架台１１のボア５３に配置された移動式スクリーン装置１５の簡易な側面図である。図１１に示すように、移動式スクリーン装置１５の移動台車６１がレール５５にスライド可能に設けられている。典型的には、移動式スクリーン装置１５には駆動装置が搭載されていない。移動式スクリーン装置１５は、寝台駆動装置１３５による天板１３１のスライドに連動してスライドする。なお、移動式スクリーン装置１５は、患者Ｐや医療従事者等により押したり引いたりすることによりＺ軸に関してスライドすることも可能である。
【００４７】
スクリーン６３は、ボア５３に挿入可能であって、映写機１００により発生された光を、ボア５３に関する架台筐体５１の内壁５７に到達可能なように形成する。具体的には、図９に示すように、スクリーンの外径ＲＳは、ボア５３の内径ＲＢより小さい。また、映写機１００から射出された光は、ボア５３の内径ＲＢを包含する領域に射出される。これにより、映写機１００から射出された投影光は、スクリーン６３と、架台筐体５１の内壁５７とに投影される。換言すると、映写機１００により投影された投影映像は、スクリーン６３に投影された第１領域と、ボア５３に関する架台筐体５１の内壁５７に投影された第２領域とを有する。投影映像は、動画であっても静止画であってもよい。また、投影映像は、動画であってもよいし、静止画であってもよい。また、投影映像における映像内容は、例えば、リラックス効果のある動画または静止画であってもよいし、検査時の注意事項や検査終了時刻までの時間等の検査支援情報であってもよい。第２領域に関する映像に関する光は、ボアとスクリーンとの間の隙間（図９におけるＧ１）を通過する。以下、図面を参照して、上記内容について詳述する。
【００４８】
図１２は、本磁気共鳴イメージングシステム１を側面から見た断面の一例を示す側面図である。図１２に示すように、スクリーン６３は、映写機１００から射出された投影光ＬＰを、架台筐体５１の内壁５７（上面壁）に到達可能なように形成する。これにより、図１２に示すように、投影光ＬＰは、スクリーン６３と、架台筐体５１の内壁５７とに投影される。図１２における映像１２Ｉは、スクリーン６３に投影された映像であって、投影映像の第1領域に対応する。
【００４９】
図１２に示すように、スクリーン６３に投影された映像１２Ｉは、反射板６７を介して、患者Ｐの直上における視角範囲１２ＶＡの中心を含む領域（以下、中心領域と呼ぶ）Ｉｗｃに配置される。図１２において、第２領域Ｒｅ２に対応する投影光ＬＰは、スクリーン６３の縁と架台筐体５１の内壁５７との隙間Ｇ１を通過した投影光（以下、漏れ光と呼ぶ）である。漏れ光は、架台筐体５１の内壁５７において、例えば、視角範囲１２ＶＡの端部分（Ｉｗ１とＩｗ２）とに到達する。
【００５０】
例えば、漏れ光は、架台筐体５１の内壁５７のうち、スクリーン６３から患者Ｐの肩近傍までの範囲（以下、漏れ光到達範囲と呼ぶ）に到達する。すなわち、スクリーン６３は、漏れ光を、架台筐体５１の内壁５７において、漏れ光到達範囲に到達するように、投影光ＬＰを形成する。漏れ光到達範囲は、スクリーンの形状に依存する。例えば、優弧（major arc）と弦とにより構成される形状を有し、かつ弦が上端に位置するスクリーンによる漏れ光到達範囲は、図９に示すような円形形状を有するスクリーン６３による漏れ光到達範囲より大きくなる。
【００５１】
図１３は、ボア５３内に配置された患者Ｐを上面から見た上面図である。図１３に示すように、スクリーン６３は、投影光ＬＰを、架台筐体５１の内壁５７（側壁）に到達可能なように形成する。患者Ｐの側面における視角範囲１３ＶＡに対応する内壁には、漏れ光により、第２領域Ｒｅ２に対応する映像が映し出される。図１３における視角範囲１３ＶＡは、漏れ光到達範囲に対応する漏れ光到達範囲は、スクリーン６３の外径ＲＳと架台筐体５１におけるボア５３の内径ＲＢとの差である隙間（図９のＧ１）と、映写機１００からスクリーン６３までの距離とにより決定される。図１３におけるＬＬＡＲで示された範囲は漏れ光到達範囲に相当する。
【００５２】
図１４は、患者Ｐ等により視認される投影映像の一例を示す図である。図１４において、内円Ｉｃは、スクリーン６３の縁に対応する。図１４における内円Ｉｃの内側の領域の映像は、スクリーン６３に投影された第１領域Ｒｅ１に対応する。図１４における外円Ｏｃと内円Ｉｃとの間に挟まれた領域は、漏れ光が架台筐体５１の内壁５７に到達したときの映像、すなわち第２領域Ｒｅ２に対応する。
【００５３】
第１領域Ｒｅ１と第２領域Ｒｅ２領域との境界（内円Ｉｃ）は、例えば、撮像制御ユニット１７における画像処理回路３３（または映写機制御装置２００）により予め設定される。患者Ｐは、第１領域Ｒｅ１における第１映像をスクリーン６３及び反射板６７を介して視認し、架台筐体５１の内壁５７に投影された第２領域Ｒｅ２における第２映像を視認する。すなわち、天板１３１に仰向けに載置された患者Ｐは、第１映像と第２映像とを視認する。
【００５４】
図１４における外円Ｏｃの外側の領域は、スクリーン６３の縁と架台筐体５１の内壁５７との隙間Ｇ１を通過しない投影光が架台筐体５１の内壁５７に到達することにより、スクリーン６３により映写機１００側の内壁５７に映し出される映像に対応する。図１２乃至図１４に示すように、患者Ｐの周囲には、投影光による投影映像が配置される。
【００５５】
以上に述べた構成によれば、以下に示す効果を得ることができる。  
本実施形態に係る磁気共鳴イメージング装置１０によれば、ボア５３内に挿入されたスクリーン６３により、映写機１００により発生された光を、ボア５３に関する架台筐体５１の内壁５７に到達可能な形状に形成することができる。すなわち、本磁気共鳴イメージング装置１０よれば、映写機１００により投影された投影映像は、スクリーン６３に投影された第1領域Ｒｅ１と、ボア５３に関する架台筐体５１の内壁５７に投影された第２領域Ｒｅ２とを有する。
【００５６】
これにより、本磁気共鳴イメージング装置１０のボア５３内に挿入された患者Ｐは、自身の視角範囲の中心領域において反射板６７を介して第1領域Ｒｅ１に対応する映像を視認し、かつ中心領域の外側の領域において、内壁５７に投影された第２領域Ｒｅ２に対応する映像を視認することができる。すなわち、映写機１００により投影された映像が映し出される範囲を患者Ｐの視角範囲にできるだけ近づけることができ、本磁気共鳴イメージング装置１０のボア５３内に挿入された患者Ｐの視角範囲の略全域を、映写機１００から投影された映像で満たすことが可能となる。これにより、本実施形態に係る磁気共鳴イメージング装置１０によれば、ボア５３に挿入された患者Ｐは、映像または投影光につつまれた感覚、すなわち映像に対する没入感を得ることができる。
【００５７】
以上のことから、本磁気共鳴イメージング装置１０によれば、患者Ｐに対するＭＲ検査時において、患者Ｐ近傍にＲＦコイル４５や支持アーム６５が配置されていたとしても、患者Ｐに違和感を生じさせず、患者Ｐの不安を改善し、かつ患者Ｐをリラックスできる環境を提供することができる。例えば、患者Ｐに対する撮像中において、気分をリラックスさせるための投影（例えば、スクリーン６３に投影された映像）に患者Ｐを集中させることができ、加えて、狭いボア５３内の空間の存在を患者Ｐに意識させないことが期待できる。
【００５８】
これにより、患者Ｐ（特に、閉所恐怖症の患者）に対するＭＲ撮像において、ボア５３内での圧迫感およびボア５３内に入ることへのストレスを軽減させ、ボア内での居住性を向上させることができる。加えて、移動式スクリーン装置１５が寝台１３とは反対側（映写機１００側）に配置された場合、検査前の患者Ｐが架台筐体５１を見たときの印象として、スクリーン６３の縁と架台筐体５１の内壁５７との隙間Ｇ１を通過した漏れ光およびスクリーン６３に投影された映像が内壁５７の投影されるため、ボア５３に対して無機質なトンネルとしてではなく患者Ｐに対して安心感を演出することができる。
【００５９】
（第1の変形例）  
本変形例と実施形態との相違は、第１領域Ｒｅ１における映像（以下、第１映像と呼ぶ）と第２領域Ｒｅ２における映像（以下、第２映像と呼ぶ）とにおいて、映像内容（コンテンツ）が異なることにある。第１映像と第２映像とにおける映像内容の相違は、例えば、色相、明度および模様（テクスチャ等）のうち少なくとも一つの相違を含む。
【００６０】
画像処理回路３３（または映写機制御装置２００）は、第１映像と第２映像とを合成した合成映像に関するデータを、映写機１００により投影される投影映像のデータとして、映写機１００に出力する。なお、撮像制御ユニット１７（または映写機制御装置２００）は、第１映像に関するデータと第２映像に関するデータとを、個別に映写機１００に出力してもよい。このとき、映写機１００は、第1映像に対応する投影光と第２映像にたいおうする投影光とを同時に射出する。
【００６１】
いずれの場合も、映写機１００により投影された投影映像は、第１映像と第２映像とを有することとなる。例えば、第２映像は、色相、明度、模様で表現可能な任意の視覚効果に対応する映像である。具体的には、第２映像は、検査前または検査中において、患者Ｐに対する心理学的な作用（安心感、リラックス、第１映像への集中、気分の高揚など）を想起させる最適な視覚効果に関する映像である。また、第２映像は、患者Ｐに対して実行されているパルスシーケンス等に対応した色相、明度、模様であってもよい。
【００６２】
また、画像処理回路３３（または映写機制御装置２００）は、入力回路３６を介した操作者の指示により、第１領域Ｒｅ１に関する第１映像と第２領域Ｒｅ２に関する第２映像とにおいて、色相、明度および模様のうち少なくとも一つが異なるように、映写機１００により投影される投影映像に関するデータを生成してもよい。また、画像処理回路３３（または映写機制御装置２００）は、映写機１００から投影された投影映像における第２領域Ｒｅ２の外側の領域に対応するデータを、トリミングしてもよい。
【００６３】
図１５および図１６は、第１映像と第２映像とにおいて、映像内容が異なる一例を示す図である。図１５および図１６において、第１領域Ｒｅ１における第１映像は、図１４における第１領域Ｒｅ１と同様な映像である。図１５および図１６における第２領域Ｒｅ２における第２映像は、第１領域Ｒｅ１の映像と異なり、第１領域Ｒｅ１における映像に対して更なるリラックス効果、および第１領域Ｒｅ１における映像に患者Ｐが集中できる映像である。なお、第２映像に関する投影光は、架台筐体５１の内壁５７に投影される為、投影方向と内壁５７との間の角度に起因する投影映像のひずみを低減させた映像、第１映像に関連する映像パターン、配色を有していてもよい。
【００６４】
図１５および図１６における第２領域Ｒｅ２は、一例として、３つの異なる色相を有する。図１５および図１６における領域Ｒｅ２ＳＢは水色であり、領域Ｒｅ２Ｙは黄色であり、領域Ｒｅ２Ｏはオレンジ色である。
【００６５】
図１７は、第２領域Ｒｅ２が上記３色を有する場合において、架台筐体５１の内壁５７に投影された第２映像と色相との対応関係の一例を示す図である。図１７に示すように、第２映像における領域Ｒｅ２ＳＢに対応する投影光は、内壁５７の上方付近に投影される。図１７に示すように、第２映像における領域Ｒｅ２Ｙに対応する投影光は、内壁５７の中央付近に投影される。図１７に示すように、第２映像における領域Ｒｅ２Ｏに対応する投影光は、内壁５７の下方付近に投影される。
【００６６】
図１８は、本変形例に係る第２領域Ｒｅ２における第２映像の他の例を、第１領域Ｒｅ１における第１映像とともに示す図である。図１８に示すように、第２領域Ｒｅ２における第２映像は、例えば、１０種類の色相と、第１映像への患者Ｐの集中を促進させる形状（螺旋形状）とを有する。図１８における第２領域Ｒｅ２において、螺旋形状に区分された複数の領域各々において、領域Ｒｅ２ＳＢの色相は水色であり、領域Ｒｅ２Ｂの色相は青色であり、領域Ｒｅ２ＤＢの色相は紺色であり、領域Ｒｅ２Ｖの色相は紫色であり、領域Ｒｅ２Ｐの色相は赤紫色であり、領域Ｒｅ２Ｒの色相は赤色であり、領域Ｒｅ２Ｏの色相はオレンジ色であり、領域Ｒｅ２Ｙの色相は黄色であり、領域Ｒｅ２ＹＧの色相は黄緑色であり、領域Ｒｅ２Ｇの色相は緑色である。
【００６７】
図１５および図１９は、第２領域Ｒｅ２の外側の領域ｔｒｉがトリミングされた投影映像の一例を示す図である。図１５は、図１６における第２領域Ｒｅ２の外側の領域ｔｒｉが予めトリミングされて、スクリーン６３および内壁５７に投影された映像である。すなわち、図１６に対応する投影映像に関するデータにおいて第２領域Ｒｅ２の外側の領域ｔｒｉがトリミングされ、トリミングされたデータに対応する投影光が、映写機１００により、スクリーン６３と架台筐体５１の内壁５７とに投影される。
【００６８】
図１９は、図１８における第２領域Ｒｅ２の外側の領域ｔｒｉがトリミングされた投影映像の一例を示す図である。すなわち、図１９に対応する投影映像に関するデータにおいて第２領域Ｒｅ２の外側の領域ｔｒｉがトリミングされ、トリミングされたデータに対応する投影光が、映写機１００により、スクリーン６３と架台筐体５１の内壁５７とに投影される。
【００６９】
本変形例に係る磁気共鳴イメージング装置１０によれば、本実施形態に係る効果に加えて、以下に示す効果を得ることができる。  
本変形例に係る磁気共鳴イメージング装置１０によれば、反射板６７に映る第１映像と架台筐体５１の内壁５７に映る第２映像とを組み合わせた視覚環境を患者Ｐに提供することができる。また、本変形例によれば、患者Ｐに対する最適な視覚効果に対応する映像を目的に応じて第２映像に適用することができる。
【００７０】
例えば、本変形例に係る磁気共鳴イメージング装置１０は、第２映像の色相（患者Ｐが安心できる色）、明度（患者Ｐが安心できる明るさ）、模様（患者Ｐが安心できるパターン形状）等をリラックス効果（心理学的作用）に応じて変化させること、投影映像において第２領域Ｒｅ２の外部のトリミング、および投影方向と内壁５７との間の角度に起因する投影映像のひずみの低減等を実行することができる。また、本変形例によれば、検査前または検査中において、患者Ｐに対して最適な視覚効果に関する映像を、第２映像として架台筐体５１の内壁５７に投影することができる。
【００７１】
これらのことから、本変形例に係る磁気共鳴イメージング装置１０によれば、第１映像に関連した更なるリラックス効果を患者Ｐに提供すること、患者Ｐにボア５３を感じさせないような視覚環境を提供すること、および検査前または検査中の患者Ｐに対して最適な視覚効果を提供することができる。
【００７２】
（第２の変形例）  
本変形例と実施形態との相違は、第２映像が、スクリーン６３に応じて投影映像をトリミングした映像に対応することにある。
【００７３】
画像処理回路３３（または映写機制御装置２００）は、後述するトリミング処理の実行後の画像データ（以下、トリミング画像データと呼ぶ）を映写機１００に出力する。これにより、トリミング画像データに対応する投影光は架台筐体５１の内壁５７に投影され、トリミングされた外側の映像として映し出される。例えば、画像処理回路３３（または映写機制御装置２００）は、スクリーン６３に応じて、所定の投影映像に対してトリミング（以下、トリミング処理と呼ぶ）を実行する。
【００７４】
トリミング処理とは、スクリーン６３に応じて実行される。スクリーン６３に応じたトリミングの形状は、スクリーンの形状に限定されない。例えば、スクリーン６３の形状が楕円であって、楕円形状のトリミングでは患者Ｐに違和感を想起させる場合、トリミング形状は、例えば円形に設定される。
【００７５】
なお、トリミング処理は、スクリーン６３の形状に対応するとは限らない。トリミング処理は、種々のキャラクタ（マスコット、アニメ等）のシルエットの外形の形状に合わせて実行されてもよい。また、トリミング処理は、撮像中において、患者Ｐに対する視覚刺激を誘発するようなトリミングを実行してもよい。
【００７６】
視覚刺激とは、例えば、患者Ｐに対して計算（暗算、計算式）を想起させるトリミング、患者Ｐの右目の中心視野の正面に対応する第１映像の領域と患者Ｐの左目の中心視野の正面に対応する第１映像の領域とにおいてそれぞれ異なる形状のトリミング、患者Ｐを第１映像に集中させるためのトリミング、投影映像における輝度コントラスト・テクスチャ・動き・両眼視差などである。
【００７７】
また、映写機１００における光源は、漏れ光により、寝台１３近傍に位置する付添者などの視角範囲に含まれる可能性がある。このため、付添者などの視角範囲に光源が含まれないようにするために、トリミング処理は、映写機１００から投影された投影映像における第２領域Ｒｅ２に対応するデータを、トリミングしてもよい。
【００７８】
図２０は、スクリーン６３に合わせた画像のトリミングの一例を示す図である。図２０に示すように、第１領域Ｒｅ１の外縁部分Ｒｅ１Ｏｃより外側の領域において、円形のトリミングが実行されている。図１４との比較によれば、図２０における第２領域Ｒｅ２に対応する色相は、例えば、単一の色相を有する。
【００７９】
図２１は、トリミング後の第２映像に対応する投影光が架台筐体５１の内壁５７に投影される一例を示す図である。図２１に示すように、図２０において第１映像の外側の領域に対応する投影光は、図２１における架台筐体５１の内壁（Ｉｗ１とＩｗ２）５７１に投影される。
【００８０】
本変形例に係る磁気共鳴イメージング装置１０によれば、本実施形態に係る効果に加えて、以下に示す効果を得ることができる。  
本変形例に係る磁気共鳴イメージング装置１０によれば、スクリーン６３に応じてトリミングされたトリミング画像データを用いて、第２映像を架台筐体５１の内壁５７に投影することができる。スクリーン６３に応じた映像に関するデータのトリミングにより、反射板６７を介して患者Ｐに視認される第１映像と、架台筐体５１の内壁５７に投影された第２映像とを、患者Ｐに明確に認識させることができる。また、上記トリミングにより、第１映像と第２映像とを意図的に曖昧にすることができる。これにより、第１映像と第２映像との組み合わせ、または第１映像を投影する場合において、コンテンツ、すなわち第１映像における映像内容の特徴を際立たせることができる。
【００８１】
また、本変形例に係る磁気共鳴イメージング装置１０において、トリミングされる映像は、必ずしもスクリーン６３の形状そのものである必要は無く、概ねスクリーン６３の形状と同形状、またはトリミングされる線（以下、トリミングラインと呼ぶ）を変化させることも可能である。このとき、画像処理回路３３等によるトリミングラインの調整（変更）は、架台筐体５１の内壁５７に投影される第２映像により、第１映像を演出する様々な手法として活用することができる。
【００８２】
例えば、トリミングラインの調整は、患者Ｐに対する視覚刺激を研究目的として用いられてもよいし、患者Ｐをリラックスさせることを目的としてキャラクタのシルエットを投影するために用いられてもよい。また、本変形例に係る磁気共鳴イメージング装置１０によれば、付添者および介助者などの視角範囲に光源が出来るだけ含まれないようにする意図的なトリミング処理により、第２映像が投影される漏れ光到達範囲を最低限の範囲で限定することができ、付添者および介助者などの視覚に対する負担を軽減させることができる。
【００８３】
以上のことから、本変形例に係る磁気共鳴イメージング装置１０によれば、様々な目的に応じてトリミングされた映像を、スクリーン６３と架台筐体５１の内壁５７とに投影させることができ、患者Ｐ、付添者、および目的に応じた視覚環境を提供することができる。
【００８４】
（第３の変形例）  
本変形例と実施形態との相違は、第２映像において、第１領域Ｒｅ１と第２領域Ｒｅ２との境界近傍を明るくして、第１映像を自然に患者Ｐに認識させることにある。
【００８５】
画像処理回路３３（または映写機制御装置２００）は、第１領域Ｒｅ１と第２領域Ｒｅ２との境界またはトリミングラインから第２領域Ｒｅ２の外縁に向かって第２映像の明度と色相とのうち少なくとも一方を変化された第２映像を、第１映像とともに映写機１００に出力する。これにより、第２映像に対応する投影光は、明度と色相とのうち少なくとも一方を変化させた映像として、架台筐体５１の内壁５７に投影される。
【００８６】
具体的には、画像処理回路３３（または映写機制御装置２００）は、第１映像に対してサバンナ効果を実現可能なように、第２映像に関する明度と色相とのうち少なく一方を変化させることで投影映像に対応するデータを生成し、映写機１００に出力する。第１映像に対するサバンナ効果の実現のための上記変化は、例えば、第２領域Ｒｅ２における明度の変化と色相の変化とを有する。なお、サバンナ効果が実現可能であれば、第２映像における色相の変化および明度の変化は、以下の説明に限定されない。
【００８７】
画像処理回路３３（または映写機制御装置２００）は、第２映像における上記境界またはトリミングラインでの明度を、第１映像における明度と同程度の明度として決定する。画像処理回路３３（または映写機制御装置２００）は、第２映像において、上記境界またはトリミングラインから第２領域Ｒｅ２の外縁に向かって、第２映像の明度を段階的に減少させる（明度のグラデーション）。
【００８８】
画像処理回路３３（または映写機制御装置２００）は、第２映像における上記境界またはトリミングラインの色相を、第１領域Ｒｅ１の外縁の色相を代表する色相として決定する。画像処理回路３３（または映写機制御装置２００）は、第２映像において、上記境界またはトリミングラインから第２領域Ｒｅ２の外縁に向かって、第２映像の色相を黒色に段階的に変化させる（色相のグラデーション）。
【００８９】
図２２は、天板１３１に載置された患者Ｐにより視認される映像（第１映像に対するサバンナ効果を実現する第２映像）の一例を示す図である。図２２に示すように、第２映像は、第１領域Ｒｅ１の外縁部分から第２領域Ｒｅ２の外縁に向かって明度および色相の一様なグラデーションを有する。
【００９０】
具体的には、図２２に示す第１映像が緑色を基調とする場合、第２映像（第２領域Ｒｅ２）における色相のグラデーションは、第１領域Ｒｅ１の外縁部分から第２領域Ｒｅ２の外縁に向かって、緑色から黒色に段階的に変化することに対応する。また、図２２に示す第２領域Ｒｅ２における明度のグラデーションは、第１領域Ｒｅ１の外縁部分から第２領域Ｒｅ２の外縁に向かって、境界近傍における第１映像の明度と同程度の明度から段階的に減少することに対応する。
【００９１】
また、画像処理回路３３（または映写機制御装置２００）は、第１映像を広い空間で見ているということを患者Ｐに認識させるために、第２映像に関する明度と色相とを変化させることで投影映像に対応するデータを生成し、映写機１００に出力する。なお、第１映像を広い空間で見ているということを患者Ｐに認識させることが可能であれば、以下の説明に限定されない。
【００９２】
画像処理回路３３（または映写機制御装置２００）は、第２領域Ｒｅ２における色相を、第１領域Ｒｅ１における色相に基づいて決定する。第２領域Ｒｅ２における色相は、例えば、第１領域Ｒｅ１における外縁の色相、または第１領域Ｒｅ１における第１映像の色相を平均化した色相である。
【００９３】
画像処理回路３３（または映写機制御装置２００）は、第２映像において、上記境界またはトリミングラインから第２領域Ｒｅ２の外縁に向かって、第２映像の色相を、白色から決定した色相に変化させる（色相のグラデーション）。このとき、第２領域Ｒｅ２において、所定の幅で第１映像（第１領域Ｒｅ１）を取り囲む包囲領域の色相は白色となる。
【００９４】
画像処理回路３３（または映写機制御装置２００）は、第２映像における包囲領域における明度を、第１映像の外縁部分の明度と同程度の明度として決定する。すなわち、第２映像における包囲領域における明度は、第１映像の外縁部分の明度に適合させる。画像処理回路３３（または映写機制御装置２００）は、第２映像において、包囲領域から第２領域Ｒｅ２の外縁に向かって、第２映像の明度を段階的に減少させる（明度のグラデーション）。
【００９５】
図２３は、天板１３１に載置された患者Ｐにより視認される映像（第１映像を広い空間で見ているということを患者Ｐに認識させるための第２映像）の一例を示す図である。図２３に示すように、第２映像は、包囲領域から第２領域Ｒｅ２の外縁に向かって明度および色相の一様なグラデーションを有する。
【００９６】
具体的には、図２３に示す第１映像が緑色を基調とする場合、第２映像（第２領域Ｒｅ２）における色相のグラデーションは、包囲領域から第２領域Ｒｅ２の外縁に向かって、白色から緑色に段階的に変化することに対応する。また、図２３に示す第２領域Ｒｅ２における明度のグラデーションは、包囲領域から第２領域Ｒｅ２の外縁に向かって、第１映像の明度と同程度の明度から段階的に減少することに対応する。
【００９７】
本変形例に係る磁気共鳴イメージング装置１０によれば、本実施形態に係る効果に加えて、以下に示す効果を得ることができる。  
本変形例に係る磁気共鳴イメージング装置１０によれば、反射板６７に映り込むスクリーン６３の映像は、第１映像のみならず、スクリーンの外径ＲＳよりも外側の映像（架台筐体５１の内壁５７に投影された第２映像）も映り込む可能性があるため、トリミングの位置（境界近傍）の明度を明るくし、第２領域Ｒｅ２の外側に向かって明度を減少させる（第２映像を暗くする）ことができる。
【００９８】
これにより、本変形例に係る磁気共鳴イメージング装置１０は、患者Ｐに対して、第１映像により集中または安心させる視覚環境（サバンナ効果）を提供することができ、加えて患者Ｐに対してより開放感を与えることができる。さらに、第１映像のコンテンツおよび視覚効果の目的によっては、色相および明度のグラデーションを適宜変化させることができ、本変形例による効果を最適化することができる。
【００９９】
また、本変形例に係る磁気共鳴イメージング装置１０によれば、反射板６７の周辺（内壁５７を含む）の明度を、反射板６７における映像の明度と同程度の明度として、第２映像を内壁５７に投影することができる。これにより、患者Ｐの中心視野近傍における明度の過度な差を低減することができる。すなわち、反射板６７における映像（主として第１映像）と比べて患者Ｐ近傍の内壁５７が暗い場合に、反射板６７における映像の明度が周辺の明度に比べて強いという患者Ｐの心象を軽減することができ、検査中における患者Ｐの目の疲れ等を低減することができる。
【０１００】
これらのことから、本変形例に係る磁気共鳴イメージング装置１０によれば、ボア５３に対する閉塞感を軽減した状態で、第１映像を集中して視認可能な環境を患者Ｐに提供すること、および広い空間で映像を見ている感覚を患者Ｐに提供することができる。
【０１０１】
加えて、本変形例における効果をさらに向上させる構成として、反射板６７の背面側（架台筐体５１の内壁５７の上面側）に、所定の照射器（例えば、ＬＥＤ：light-emitting diode）が設けられてもよい。このとき、照射器により、反射板６７周辺の明度を向上させることができる。
【０１０２】
（第４の変形例）  
本変形例と実施形態との相違は、架台筐体５１の内壁５７に投影された第２映像が、内壁５７における周方向に沿った位置に応じて、色相と明度と模様とのうち少なくとも一つを変化させた映像であることにある。
【０１０３】
画像処理回路３３（または映写機制御装置２００）は、内壁５７における周方向に沿った位置に応じて、色相と明度と模様とのうち少なくとも一つを変化させた第２映像に関するデータ（以下、周方向グラデーションデータと呼ぶ）を、第１映像に関するデータとともに映写機１００に出力する。これにより、第２映像に対応する投影光は、内壁５７における周方向に沿った位置に応じて、色相と明度と模様とのうち少なくとも一つを変化させた映像として、架台筐体５１の内壁５７に投影される。
【０１０４】
具体的には、画像処理回路３３（または映写機制御装置２００）は、内壁５７における周方向に沿った位置に基づいて、周方向グラデーションデータを生成する。周方向グラデーションデータに基づいて映写機１００から射出される投影光において、例えば、内壁上部に到達する投影光（以下、上部投影光と呼ぶ）は、投影時に明るい映像となる明度と色相と模様とのうち少なくとも一つを有し、内壁下部に到達する投影光（以下、下部投影光と呼ぶ）は、投影時に暗い映像となる明度と色相と模様とのうち少なくとも一つを有し、内壁上部と内壁下部との間の内壁側部に到達する投影光は、上部投影光から下部投影光にかけて、投影時に映像の明るさが減少するような明度と色相と模様とのうち少なくとも一つを有する。
【０１０５】
図２４は、内壁５７に到達した投影光により、内壁下部から内壁上部にまで内壁５７の周方向に沿って段階的に明るくなることを遠近的に示す図である。図２４に示すように、漏れ光により架台筐体５１の内壁５７に投影される第２映像は、内壁５７における周方向に沿った位置に応じて、明るさのグラデーションを有する。
【０１０６】
図２４に示すように、内壁上部には、比較的明るい映像が第２映像として投影される。内壁下部には、比較的暗い映像が第２映像として投影される。また、内壁側部には、内壁上部から内壁下部にかけて明るさが減少する映像が、第２映像として投影される。
【０１０７】
図２５は、本磁気共鳴イメージングシステム１を側面から見た断面において、周方向グラデーションデータにしたがって投影された投影光による明るさのグラデーションの一例を示す図である。図２５に示すように、内壁上部には明るい映像が投影され、内壁下部には暗い映像が投影され、内壁側部には、明るさのグラデーションを反映した映像が投影される。図２５に示すように、内壁上部における視角範囲（Ｉｗ１とＩｗ２）は、上部投影光により、内壁５７の他の位置より明るくなる。図２５におけるＬＧＲは、架台筐体５１の内壁５７に投影された明るさのグラデーションの一例を示している。
【０１０８】
図２４と図２５とに示すように、天板１３１に載置された患者Ｐの側面および下面近傍は、患者Ｐの上面近傍に比べて暗くなる。換言すると、天板１３１に載置された患者Ｐの上面近傍は、患者Ｐの側面および下面近傍に比べて明るくなる。
【０１０９】
本変形例に係る磁気共鳴イメージング装置１０によれば、本実施形態に係る効果に加えて、以下に示す効果を得ることができる。  
本変形例に係る磁気共鳴イメージング装置１０によれば、天板１３１に載置された患者Ｐの周囲において、内壁下部から内壁上部まで段階的に明るくすることができる。これにより、天板１３１に載置された患者Ｐの視角範囲において、内壁下部から内壁上部にかけて明るさのグラデーションによる光環境を提供することができる。
【０１１０】
例えば、本変形例に係る磁気共鳴イメージング装置１０によれば、患者Ｐ周辺は比較的暗い状態となり、かつ患者Ｐの中心視野（内壁上部）が明るい状態となる光環境を提供することができ、患者Ｐに対してより効果的なリラクゼーションの環境を実現することができる。
【０１１１】
また、天板１３１に載置される患者Ｐの向き（患者Ｐのセッティング環境）により、架台筐体５１の内壁５７に投影させる映像に対する患者Ｐの心象は異なるものであるが、検査頻度が多い仰向けの姿勢の患者Ｐに関して、患者Ｐの視角範囲の略中心（中心視野近傍）に反射板６７があるため、架台筐体５１の内壁５７の上部から周方向に沿って内壁５７の下部にかけての視野（周辺視野）において、視覚の感度が低下する。このため、本変形例に係る磁気共鳴イメージング装置１０によれば、内壁５７における周方向に沿って、色相と明度と模様とのうち少なくとも一つを変化させることで、患者Ｐに対してリラックスできる環境を提供することができる。
【０１１２】
（第５の変形例）  
本変形例と実施形態との相違は、天板１３１の側面と内壁５７との間の空間、患者固定具（ヘッドレスト）１３７の上面より下方の内壁、または移動台車６１に設けられた照射器により、第２映像が投影される内壁５７を含む照射範囲に、第２映像に対応する色相に関する照射光を照射することにある。
【０１１３】
照射器は、天板１３１の側面と内壁５７との間の空間に、ボア５３の中心軸（Ｚ軸）に沿って、複数設けられる。具体的には、照射器は、図４におけるレール５５のうち天板１３１の側面と内壁５７との間の位置（例えば、天板１３１のレベルと同レベルの位置５５１）に、Ｚ軸に沿って、所定の間隔で複数設けられる。なお、照射器は、上記空間において、天板１３１のレベルより下方の位置に配置されてもよい。
【０１１４】
なお、照射器は、例えば、図８における患者固定具１３７の上面１３７１より下方における内壁５７に、ボア５３の中心軸に沿って配列されて、複数設けられてもよい。このとき、照射器の位置は、例えば、天板１３１から所定の高さにおける位置に相当する。所定の高さとは、例えば、天板１３１から患者Ｐの肩までの距離、患者Ｐの体厚などである。
【０１１５】
照射器は、システム制御回路３８による制御のもとで、照射光を架台筐体５１の内壁５７に照射する。照射器とは、例えば、上記色相に関する光を生成可能な複数のＬＥＤ（３色の発光ダイオード）であり、一つの照射器は、光の３原色各々対応するＬＥＤを複数有する。なお、照射器は、ＬＥＤに限定されない。また、照射器は、照射光が反射板６７とスクリーン６３とに到達不能となるような照射光の指向性を有していてもよい。
【０１１６】
システム制御回路３８は、ボア５３内における天板１３１の位置を収集する。システム制御回路３８は、収集された天板１３１の位置に基づいて、ボア５３内におけるスクリーン６３の位置を決定する。システム制御回路３８は、照射器による架台筐体５１の内壁５７への照射範囲を、スクリーン６３の位置に応じて決定する。システム制御回路３８は、第２映像に対応する色相の光を決定された照射範囲に照射させるように、照射器を制御する。
【０１１７】
照射範囲とは、例えば、スクリーン６３の位置から患者Ｐの胸部（または腹部）近傍の位置までの範囲である。患者Ｐの胸部近傍の位置は、例えば、スクリーン６３の位置または天板１３１の端部からＺ軸に沿った所定の距離として、主記憶回路３７等に予め記憶される。
【０１１８】
また、システム制御回路３８は、第２映像における映像内容に応じた色相を実現させるように、照射器を制御する。例えば、第２映像が葉、樹木、林、森林などの映像である場合、映像内容に応じた色相は、緑、黄緑などの映像内容を代表する色相、または第２映像における平均的な色相である。また、第２映像が海、川、空などの映像である場合、映像内容に応じた色相は、青、水色、藍色などの映像内容を代表する色相、または第２映像における平均的な色相である。
【０１１９】
なお、システム制御回路３８は、第１映像の映像内容によっては第１映像の映像内容をより際立たせるための演出、または研究目的に対応する視覚刺激等に応じた色相を実現させるように、照射器を制御してもよい。
【０１２０】
また、システム制御回路３８は、入力回路３６を介した操作者の指示により、患者Ｐの要望に応じて、照射光の光量および色相を調整するために、照射器を制御してもよい。このとき、システム制御回路３８は、第１映像および第２映像における映像内容を変更することなしに、照射器を制御する。
【０１２１】
加えて、患者Ｐを載置した天板１３１がボア５３の寝台１３側の端部と撮像位置との間を移動するとき、システム制御回路３８は、架台筐体５１の内壁５７に照射された照射光の色相を変化させるために、照射器を制御する。なお、システム制御回路３８は、Ｚ軸に沿った天板１３１の移動方向に応じて、色相の変化の態様を変更するように、照射器を制御してもよい。このとき、患者Ｐを載置した天板１３１がボア５３の外部からボアの５３内部へ移動するときと、患者Ｐを載置した天板１３１がボア５３の内部からボア５３の外部へ移動するときとにおいて、架台筐体５１の内壁５７に照射された照射光による色相の変可の態様はそれぞれ異なる。
【０１２２】
図２６は、レール５５に設けられた複数の照射器５９と、照射範囲ＩＲＲとの一例を示す図である。図２６に示すように、複数の照射器５９のＯＮまたはＯＦＦの制御は、ボア５３内におけるスクリーン６３の位置に応じて実行される。図２６に示すように、患者Ｐの視角範囲における内壁５７には、照射器５９による照射光が投影される。
【０１２３】
図２７は、架台１１のボア５３に係る正面図である。図２７に示すように、照射器５９は、レール５５において、天板１３１の側面と内壁５７との間の位置５５１、または図８における患者固定具１３７の上面１３７１より下方での内壁５７の位置５３１に設けられる。
【０１２４】
また、照射器５９は、図１０における移動台車６１における領域６１３、６１５などに設けられてもよい。移動台車６１における領域６１３に照射器５９が設けられた場合、照射器５９は、例えば、天板１３１における載置面から、天板１３１に載置された患者Ｐの肩近傍までの範囲を照射する。なお、照射器５９は、自身から照射した光が反射板６７とスクリーン６３とに到達不能となる指向性を有する。また、照射器５９が上記指向性を有さない場合、移動台車６１は、反射板６７とスクリーン６３とに対する照射器５９による照射を遮蔽する遮蔽板（不図示）を有する。このとき、移動台車６１には、照射器５９とシステム制御回路３８とを電気的に接続し、磁場による影響を受けない材料で構成されたケーブル（不図示）が搭載される。このとき、システム制御回路３８による照射範囲に関する制御は不要であって、照射器５９に対する他の制御についての説明は、上記と同様なため省略する。
【０１２５】
本変形例に係る磁気共鳴イメージング装置１０によれば、本実施形態に係る効果に加えて、以下に示す効果を得ることができる。  
本変形例に係る磁気共鳴イメージング装置１０によれば、天板１３１の側面と内壁５７との間の空間、患者固定具１３７の上面１３７１より下方の内壁５７の位置５３１、または移動台車６１に照射器５９を設けることにより、ボア５３内（架台筐体５１の内壁５７）に配置される通常の照明（昼白色、単色であって、暗いボア５３内を照らす照明）とは異なり、第２映像が投影される内壁を含む照射範囲ＩＲＲに、第２映像等に対応する色相に関する照射光を照射することができる。
【０１２６】
これにより、本実施形態および他の変形例における漏れ光により内壁５７に投影された第２映像の光量が弱い（足りない）場合、すなわち、淡い光である漏れ光による第２映像の光量には限界があるため第２映像の色相を強調させたい場合、または患者Ｐの要望により患者Ｐ周辺を明るくする場合において、本変形例に係る磁気共鳴イメージング装置１０によれば、投影映像の映像内容を変更することなく、第２映像の明るさを強調すること、および患者Ｐ周辺を明るくすることができる。
【０１２７】
加えて、本変形例に係る磁気共鳴イメージング装置１０によれば、患者Ｐを載置した天板１３１がボア５３の寝台１３側の端部と撮像位置との間を移動するとき、内壁５７に照射された照射光の色相を変化させることが出来る。
【０１２８】
以上のことから、本変形例に係る磁気共鳴イメージング装置１０によれば、照射光と漏れ光との組み合わせによる相乗効果により、ボア５３に挿入された患者Ｐは、投影光および照射光につつまれた感覚を得ることができる。加えて、撮像位置まで天板１３１が移動する際に、映像を見ている患者Ｐの周辺を光の変化でリラックスできるように演出することが可能となる。
【０１２９】
（第６の変形例）  
本変形例と実施形態との相違は、架台筐体５１の内壁５７の表面が投影光を拡散および反射させる拡散反射機能を有することにある。
【０１３０】
架台筐体５１の内壁５７の表面は、映写機１００により投影される投影光を拡散および反射させる拡散反射機能を有する。具体的には、内壁５７の表面には、例えば、スクリーン６３の基材の表面に用いられる塗装（例えば、微細な凹凸面を形成するコーティング塗装）、サンドブラストなどの表面処理が施される。図２８は、拡散反射機能の一例を示す図である。図２８に示すように、架台筐体５１の内壁５７に施される表面処理は、漏れ光の投影効率の向上に寄与する。
【０１３１】
本変形例に係る磁気共鳴イメージング装置１０によれば、本実施形態に係る効果に加えて、以下に示す効果を得ることができる。  
本変形例に係る磁気共鳴イメージング装置１０によれば、架台筐体５１の内壁５７の表面に、拡散反射機能を実現するための表面処理が実行される。これにより、本変形例に係る磁気共鳴イメージング装置１０における架台筐体５１の内壁５７は、第２映像の投影効率が向上し、より明瞭に第２映像を映し出すことができ、ボア５３内に配置された患者Ｐに対して、より好適な居住環境を提供することが出来る。
【０１３２】
以上述べた少なくとも１つの実施形態の磁気共鳴イメージング装置によれば、架台のボア内の居住性を向上可能である。
【０１３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３４】
１…医用画像診断システム、磁気共鳴イメージングシステム、１０…医用画像診断装置、磁気共鳴イメージング装置、１１…架台、１３…寝台、１５…移動式スクリーン装置、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台筐体、５３…ボア、５５…レール、５７…内壁、５９…照射器、６１…移動台車、６３…スクリーン、６５…支持アーム、６７…反射板、６９…連結部、７１…スライド機構、１００…映写機、１３１…天板、１３３…基台、１３５…寝台駆動装置、１３７…患者固定具、２００…映写機制御装置、３００…検査室、４００…制御室、５００…壁、５１０…窓、５３１…患者固定具の上面より下方での内壁の位置、５５１…天板の側面と内壁との間の位置、５７１…内壁における視角範囲の端部分、６１１…ガイド、６１３、６１５…移動台車において照射器が配置される領域、６５１…車輪、１３７１…患者固定具の上面、１２Ｉ…映像、１２ＶＡ…視角範囲、１３ＶＡ…視角範囲、Ｄ１…ドア、Ｄ２…ドア、Ｄ３…ドア、Ｇ１…隙間、Ｉｃ…内円、ＩＲＲ…照射範囲、Ｉｗ１、Ｉｗ２…視角範囲の端部分、Ｉｗｃ…中心領域、ＬＧＲ…明るさのグラデーション、ＬＬＡＲ…漏れ光到達範囲、ＬＰ…投影光、Ｏｃ…外円、Ｒｅ１…第１領域、Ｒｅ２…第２領域、Ｒｅ１Ｏｃ…第1領域の外縁部分、ＲＲ１…回転軸、ｔｒｉ…第２領域の外側の領域。
【図１】
0006656881.tif 000002
【図２】
0006656881.tif 000003
【図３】
0006656881.tif 000004
【図４】
0006656881.tif 000005
【図５】
0006656881.tif 000006
【図６】
0006656881.tif 000007
【図７】
0006656881.tif 000008
【図８】
0006656881.tif 000009
【図９】
0006656881.tif 000010
【図１０】
0006656881.tif 000011
【図１１】
0006656881.tif 000012
【図１２】
0006656881.tif 000013
【図１３】
0006656881.tif 000014
【図１４】
0006656881.tif 000015
【図１５】
0006656881.tif 000016
【図１６】
0006656881.tif 000017
【図１７】
0006656881.tif 000018
【図１８】
0006656881.tif 000019
【図１９】
0006656881.tif 000020
【図２０】
0006656881.tif 000021
【図２１】
0006656881.tif 000022
【図２２】
0006656881.tif 000023
【図２３】
0006656881.tif 000024
【図２４】
0006656881.tif 000025
【図２５】
0006656881.tif 000026
【図２６】
0006656881.tif 000027
【図２７】
0006656881.tif 000028
【図２８】
0006656881.tif 000029